(57)【要約】【課題】  ソフトウェアのみに依存せずに携帯電話機などの携帯用電子機器における個人情報などの電子データの紛失や盗難に対するセキュリティを向上させることができる表示システムおよびそれに用いられる表示制御用半導体集積回路を提供する。【解決手段】  表示装置（１３０）および認証システム（２６０）を備えた携帯用電子機器において、認証システムによる認証がなされなかった場合には、認証システムから表示制御用半導体集積回路（２００）へ、特定のインストラクションコードが発行されないようにするとともに、表示制御用半導体集積回路は、特定のインストラクションコードが発行されなかった場合には、通常の表示を行なわず、特定の表示を行なう表示ロック状態になるようにした。【選択図】図１
2007264355.tif 000002
【特許請求の範囲】
【請求項１】
外部の表示装置に表示を行なうための表示データを記憶する読出し書込み可能な表示メモリと、該表示メモリ内の表示データに応じた信号を生成して出力する出力回路と、外部から供給されたインストラクションを解読して内部回路の制御信号を生成する制御部とを備えた表示制御用半導体集積回路であって、
前記制御部は、起動の際に外部から特定のインストラクションが供給されない場合には認証されていないことを表わす内容を前記表示装置へ表示させる信号を出力させるように構成されていることを特徴とする表示制御用半導体集積回路。
【請求項２】
表示装置と該表示装置への表示のための処理を行なう表示制御用半導体集積回路および認証システムを備えた携帯用電子機器であって、起動時に前記認証システムによる認証がなされなかった場合には、前記表示制御用半導体集積回路へ特定のインストラクションが供給されないように構成されていることを特徴とする携帯用電子機器。
【請求項３】
前記表示制御用半導体集積回路は、起動の際に外部から特定のインストラクションが供給されない場合には認証されていないことを表わす内容を前記表示装置へ表示させる信号を出力することを特徴とする請求項２に記載の携帯用電子機器。
【請求項４】
前記認証システムは人体的特徴の一致または不一致を判定することを特徴とする請求項２または３に記載の携帯用電子機器。
【請求項５】
セキュリティレベルが複数段階に設定可能であることを特徴とする請求項２〜４のいずれかに記載の携帯用電子機器。
【発明の詳細な説明】
【技術分野】
【０００１】
本発明は、携帯用電子機器のセキュリティ向上技術に関し、例えば携帯電話機やＰＤＡ（Personal Digital Assistants）を構成する液晶コントローラなどの表示制御用半導体集積回路に利用して有効な技術に関する。
【背景技術】
【０００２】
近年、携帯電話機には、電子マネー機能を有するものが実用化されており、内部のメモリに個人の財産に係わる重要なデータが記憶されている。また、個人情報保護法の施行によって携帯電話機に記憶されている氏名や電話番号などの個人情報の漏洩にも注意を払わなくてはならない。
【０００３】
そのため、携帯電話機のセキュリティ対策が重要な課題となって来ている。初期の携帯電話機におけるセキュリティは、パスワードによる認証が一般的であったが、近年においては、さらに、指紋や声紋などの人体的特徴を個人認証として利用してセキュリティを向上させるようにした発明が提案されている（特許文献１）。
【特許文献１】特開２００３−２７４００６号公報
【特許文献２】特開２００４−０８００８０号公報
【発明の開示】
【発明が解決しようとする課題】
【０００４】
従来の携帯電話機における個人情報などの電子データの紛失や盗難に対するセキュリティ対策は、パスワードや指紋、声紋などの照合機能をもっぱらソフトウェアに依存していた。しかしながら、ソフトウェアによるセキュリティは、ハッカーやクラッカーなどと呼ばれる不正者によりプログラムが解析されて機密が破られる危険性があり、充分な安全対策と言えないのが現状である。
【０００５】
また、従来の携帯電話機は、紛失したり他人の目の届くところに置いたまま離れたりすると、それが僅かな時間であっても簡単に内部のデータが他人に見られてしまうなど、プライバシーの保護機能も比較的低いものであった。
【０００６】
この発明の目的は、携帯電話機などの携帯用電子機器における個人情報などの電子データの紛失や盗難に対するセキュリティを向上させることができる表示装置を備えた携帯用電子機器およびそれに用いられる表示制御用半導体集積回路を提供することにある。
【０００７】
この発明の他の目的は、認証が拒否された場合にも所定の表示を行なうことで故障と誤認することがない表示装置を備えた携帯用電子機器およびそれに用いられる表示制御用半導体集積回路を提供することにある。
【０００８】
この発明のさらに他の目的は、プライバシーの保護機能を向上させることができる表示装置を備えた携帯用電子機器およびそれに用いられる表示制御用半導体集積回路を提供することにある。
【０００９】
この発明の前記ならびにそのほかの目的と新規な特徴については、本明細書の記述および添付図面から明らかになるであろう。
【課題を解決するための手段】
【００１０】
本願において開示される発明のうち代表的なものの概要を説明すれば、下記のとおりである。
【００１１】
すなわち、表示装置および認証システムを備えた携帯用電子機器において、起動時に認証システムによる認証がなされなかった場合には、表示制御用半導体集積回路へ特定のインストラクションコードが発行されないようにする。これとともに、表示制御用半導体集積回路は、特定のインストラクションコードが発行されなかった場合には、通常の表示を行なわず、特定の表示を行なう表示ロック状態になるようにしたものである。ここで、上記インストラクションコードには、コマンドコードと呼ばれるものやいわゆるコントロールレジスタに設定される制御コードが含まれる。また、起動時とは、電源投入時のほか、機器がスタンバイ状態から動作状態へ移行する時を含む。
【００１２】
上記した手段によれば、認証システムによる認証がなされなかった場合には、通常の表示がなされないため、ハッカーが本体内部のソフトウェアに対して不正を行なって内部のデータを読み取ったり、紛失や盗難に合った機器の不当取得者が機器に保有される電子マネーを使用したりするのを防止することができる。また、特定のインストラクションコードが発行されなかった場合には、表示を全く行なわないようにすることも考えられるが、そのようにすると故障との区別がつかないので、特定の表示を行なうことで故障と誤認されることが回避される。
【００１３】
また、望ましくは、認証システムから直接表示制御用半導体集積回路へ特定のインストラクションコードが発行される構成とし、認証システムによる認証がなされなかった場合にはその特定のインストラクションコードを発行しないようにする。これにより、ハードウェアによるセキュリティがかかるため、従来のソフトウェアによるセキュリティに比べてハッカーによる不正なデータの取得を困難にすることができる。
【００１４】
さらに、望ましくは、ユーザがセキュリティレベルを自由に設定できるように構成する。これによって、最も高いセキュリティレベルに設定されている状態では、単に機器を置き忘れるなど人目に触れる状態で放置したような場合でも、データが盗み見られることがなくプライバシーの保護機能が高くなるとともに、低いセキュリティレベルに設定しておけば、認証を行なわず機器を使用できるため、使い勝手が向上する。
【発明の効果】
【００１５】
本願において開示される発明のうち代表的なものによって得られる効果を簡単に説明すれば下記のとおりである。
【００１６】
すなわち、本発明に従うと、ソフトウェアのみに依存せずに携帯電話機などの携帯用電子機器における個人情報などの電子データの紛失や盗難に対するセキュリティを向上させることができる。また、認証が拒否された場合にも所定の表示を行なうことで故障と誤認することがない表示装置を備えた携帯用電子機器およびそれに用いられる表示制御用半導体集積回路を実現することができる。
【発明を実施するための最良の形態】
【００１７】
以下、本発明の好適な実施例を図面に基づいて説明する。
【００１８】
図１には、本発明を適用した表示制御用半導体集積回路（液晶コントローラドライバ）を備えた折り畳み式の携帯電話器の非使用状態すなわち閉じた状態の外観が示されている。
【００１９】
図１に示すように、本実施例の携帯電話器１００の本体の表面には、認証用の情報を入力するための入力部１１０と、液晶パネルなどからなり受信待機時における時刻や着信情報などの表示に用いられるサブ表示部１２０が設けられている。認証用入力部１１０は、指紋や網膜などの画像を用いた認証システムの場合には例えばＣＣＤ（チャージ・カップルド・デバイス）などのイメージセンサにより、また声紋による音声認証システムの場合にはマイクロホンにより構成される。
【００２０】
また、指紋認証システムの場合には入力部１１０に、ＣＣＤイメージセンサの他に、その近傍に圧力センサを設けて一定以上の圧力が加えられたときに起動信号が発せられて認証動作を開始するように構成することができる。網膜認証システムや音声認証システムの場合には認証動作を開始させるための起動スイッチを本体の側面等に設けるように構成することができる。
【００２１】
図２（Ａ），（Ｂ）には、本発明を適用した折り畳み式の携帯電話機の使用状態すなわち開いた状態の外観が示されている。１３０は液晶パネルなどからなるメイン表示部、１４０はプッシュ式の入力ボタンからなるテンキーなどを備えた入力操作部である。このうち図２（Ａ）のメイン表示部１３０には、認証がなされた場合の表示例が示されている。この表示画面は、従来の携帯電話機の表示画面と同じである。
【００２２】
図２（Ｂ）には、認証がなされなかった場合の表示例が示されている。ここでは、一例として、認証されていないこと、および紛失を想定して携帯メーカのサービスセンタへの電話を促すメッセージとセンタの電話番号を表示する場合が示されている。認証がなされなかった場合にこのような特定の表示を行ない、通常の表示をしないようにすることによって、内部のメモリに記憶されている電話番号等の重要なデータが盗み見られるのを防止することができる。
【００２３】
次に、認証がなされなかった場合に、図２（Ａ）のような通常表示がなされないようにするための具体的な仕組みの一例を説明する。
【００２４】
この実施例においては、携帯電話機の電源スイッチがオンされた場合や電話機本体が開かれた場合のような起動時に、使用者の認証を行なう認証処理が実行される。そして、認証がなされた場合には、携帯電話機に設けられている認証システムもしくはシステム全体を制御するプロセッサから、液晶パネルの表示を制御する液晶コントローラドライバへ特定のインストラクションコードもしくはコマンドコードが発行される。一方、認証がなされなかった場合には、特定のインストラクションコードもしくはコマンドコードの発行がなされず、発行がないと液晶コントローラドライバは、通常の表示を行なわず、図２（Ｂ）のような特定の表示を行なう表示ロック状態になるように構成されている。
【００２５】
図３には、本発明に係る表示制御用半導体集積回路（液晶コントローラドライバ）を備えた携帯電話器の全体構成を示すブロック図が示されている。図３において、一点鎖線Ａで囲まれた部分のＩＣや部品はプリント配線基板のような１枚の基板上に搭載される。
【００２６】
この実施例の携帯電話器は、認証用入力部としてのＣＣＤやＭＯＳセンサなどからなるイメージセンサ１１０、サブ表示部の液晶パネル１２０、メイン表示部の液晶パネル１３０、送受信用のアンテナ１５０、音声出力用のスピーカ１６０、音声入力用のマイクロホン１７０などを備える。また、本発明に係る液晶コントロールドライバ２００、前記イメージセンサ１１０からの画像信号に基づいて認証処理を行なうＤＳＰなどからなる認証処理回路２６０、スピーカ１６０やマイクロホン１７０の信号の入出力を行なう音声インタフェース２６１、アンテナ１５０との間の信号の入出力を行なう高周波インタフェース２６２を備える。イメージセンサ１１０と認証処理回路２６０とによって認証システムが構成される。
【００２７】
この実施例では、認証がなされた場合には、認証処理回路２６０から液晶コントローラドライバ２００へ特定のインストラクションコードが発行され、認証がなされなかった場合には、認証処理回路２６０から液晶コントローラドライバ２００へ特定のインストラクションコードが発行されないように構成されている。アプリケーションプロセッサ２８０によって認証を行なうシステムでは、アプリケーションプロセッサ２８０によって液晶コントローラドライバ２００への特定のインストラクションコードの発行が行なわれるように構成される。
【００２８】
さらに、この実施例の携帯電話器は、音声信号や送受信信号に係る信号処理等を行なうベースバンド部２７０、システム全体を制御したり高周波インタフェース２６２を介して受信した動画データを処理したりする機能等を有するアプリケーションプロセッサ２８０、電源用ＩＣ２８１およびデータ記憶用のメモリ２８２等を備える。認証処理回路２６０を設けないシステムでは、アプリケーションプロセッサ２８０によって、イメージセンサ１５０からの画像信号に基づいた認証処理を実行するように構成することも可能である。
【００２９】
認証処理回路２６０と液晶コントロールドライバ２００とベースバンド部２７０とアプリケーションプロセッサ２８０およびメモリ２８２はシステムバス２９１を介して接続され、液晶コントロールドライバ２００とアプリケーションプロセッサ２８０およびメモリ２８２はさらに表示データバス２９２に接続されている。特に制限されるものでないが、メインとサブの２つの液晶パネル１２０と１３０はＦＰＣと呼ばれるフレキシブルプリント配線ケーブル１８０により結合され、一つの液晶コントローラドライバ２００によって表示駆動されるように構成されている。このような機能を有する液晶コントローラドライバに関する発明として特開２００４−２３３７４２号公報に開示されているものがある。
【００３０】
上記ベースバンド部２７０は、例えばＤＳＰなどからなり音声信号処理を行なう音声信号処理回路２７１、カスタム機能（ユーザ論理）を提供するＡＳＩＣ２７２、ベースバンド信号の生成や表示制御、システム全体の制御等を行なうデータ処理装置としてのマイクロプロセッサもしくはマイコン２７３等により構成される。
【００３１】
所定のブロック単位で一括消去可能なフラッシュメモリ２８３が設けられ、このフラッシュメモリ２８３には、表示制御を含む携帯電話器システム全体の制御プログラムや制御データが記憶される。認証処理回路２６０により得られた認証用の指紋データもこのフラッシュメモリ２８３に格納しておくようにすることができる。メモリ２８２は、さまざまな画像処理を行った画像データ等が保存されるフレームバッファ等として用いられ，通常ＳＲＡＭやＳＤＲＡＭが用いられる。
【００３２】
液晶コントローラドライバ２００には、不揮発性メモリとしてのＥＥＰＲＯＭを接続可能にするためのＥＥＰＲＯＭインタフェースが設けられており、液晶コントローラドライバ２００に接続されたＥＥＰＲＯＭには、使用する液晶パネルのγ特性、フレーム周波数などの仕様が格納される。認証がなされていない場合あるいは認証によって不一致が検出された場合に図２（Ｂ）のような特定の表示を行なわせるための表示データもこのＥＥＰＲＯＭに格納しておくように構成することができる。
【００３３】
この実施例の携帯電話においては、特に制限されるものでないが、ユーザがセキュリティレベルを自由に設定できるように構成されている。例えば、セキュリティレベルを３段階に設定する場合、最も高いセキュリティレベルに設定されている状態では、認証システムによる確認がとれない限り通常の表示がなされないようにする。これにより、単に機器を置き忘れるなど人目に触れる状態で放置したような場合でも、データが盗み見られることがなくプライバシーの保護機能が高くなる。
【００３４】
また、中間のセキュリティレベルに設定された場合には、内部のメモリに格納されている電話帳のデータを表示させたり、電子マネーによる決済を行なう操作がなされたりした際に、入力部からの入力による認証動作を要求して実行させるように構成することができる。これにより、内部のメモリに格納されているデータの盗用を防止することができる。
【００３５】
一方、最も低いセキュリティレベルに設定された場合には、認証なしに危機を使用することができるようにしておけば、ユーザは認証を行なわず機器を使用できるため、認証の手続きの煩わしさから開放され、機器の使い勝手が向上する。また、初めて機器を使用する際には、認証のための指紋等人体的特徴の登録が必要であるが、初期状態が最も低いセキュリティレベルにされていれば、図２（Ｂ）のような特定の表示に移行しないので、登録動作が可能である。ただし、認証のための登録は、携帯電話そのものによるのではなく販売店に置かれている専用の装置によってのみ行なえるように構成することができ、その場合には、ユーザが最初に使用する時から認証によるセキュリティを働かせることが可能である。
【００３６】
図４には、上記特定インストラクションの不発行時に液晶パネル１３０に特定の表示を行なわせる機能を有する液晶コントローラドライバ２００の一実施例が示されている。
【００３７】
この実施例の液晶コントローラドライバ２００は、ドットマトリックス型の液晶表示パネルにグラフィック表示されるデータを記憶するメモリとしてＲＡＭ（以下、表示メモリと称する）２０６を内蔵し、その書込み回路や読出し回路および液晶表示パネルの駆動信号を出力するドライバとともに１個の半導体基板上に半導体集積回路として構成される。
【００３８】
この実施例の液晶コントローラドライバ２００は、外部のマイクロプロセッサもしくはマイクロコンピュータ（以下、マイコンと略す）等からの指令に基づいてチップ内部全体を制御する制御部２０１を備える。また、外部からの発振信号もしくは外部端子に接続された振動子からの発振信号に基づいてチップ内部の基準クロックパルスを生成するパルスジェネレータ２０２、このクロックパルスに基づいてチップ内部の種々の回路の動作タイミングを与えるタイミング信号を発生するタイミング制御回路２０３を備える。
【００３９】
さらに、図示しないシステムバスを介してマイコン等との間で主としてインストラクションや静止表示データなどのデータの送受信を行なうシステム・インタフェース２０４、図示しない表示データバスを介して主としてアプリケーションプロセッサなどからの動画データや水平・垂直同期信号ＨＳＹＮＣ，ＶＳＹＮＣを受ける外部表示インタフェース２０５を備える。また、不揮発性メモリとしてのＥＥＰＲＯＭを接続可能にするためのＥＥＰＲＯＭインタフェース２４０を備える。
【００４０】
さらに、液晶コントローラドライバ２００には、表示データをビットマップ方式で記憶する表示メモリ２０６、マイコンからのＲＧＢの書込みデータのビットの並び替えなどのビット処理を行なうビット変換回路２０７を備える。また、ビット変換回路２０７で変換された表示データまたは外部表示インタフェース２０５を介して入力された表示データを取り込んで保持するライトデータラッチ回路２０８、表示メモリ２０６から読み出された表示データを保持するリードデータラッチ回路２０９、上記表示メモリ２０６に対する選択アドレスを生成するアドレス生成回路２１０を備える。
【００４１】
表示メモリ２０６は、複数のメモリセルおよびワード線、ビット線（データ線）を含むメモリアレイと、アドレス生成回路２１０から供給されるアドレスをデコードしてメモリアレイ内のワード線やビット線を選択する信号を生成するアドレスデコーダを有する読出し書込み可能なＲＡＭにより構成されている。また、表示メモリ２０６は、メモリセルから読み出された信号を増幅するセンスアンプや書込みデータに応じてメモリアレイ内のビット線に所定の電圧を印加したりするライトドライバなどを有する。
【００４２】
さらに、表示メモリ２０６から読み出された表示データを順次ラッチする第１および第２のラッチ回路２１１、２１２、ラッチされた表示データから液晶の劣化を防止する交流駆動のためのデータに変換する交流化回路２１３、該回路で変換されたデータを保持するラッチ回路２１４を備える。また、液晶パネルの駆動に必要な複数レベルの電圧を発生する液晶駆動レベル発生回路２１６、該液晶駆動レベル発生回路２１６で生成された電圧に基づいてカラー表示や階調表示に適した波形信号を生成するのに必要な階調電圧を生成する階調電圧生成回路２１７、液晶パネルのγ特性を補正するための階調電圧を設定するγ調整回路２１８を備える。
【００４３】
上記ラッチ回路２１４の後段には、上記階調電圧生成回路２１７から供給される階調電圧の中からラッチ回路２１４にラッチされている表示データに応じた電圧を選択して液晶パネルの信号線としてのソース線に印加される電圧（ソース線駆動信号）Ｓ１〜Ｓ７２０を出力するソース線駆動回路２１５が設けられている。一方、液晶パネルの選択線としてのゲート線（コモン線とも呼ばれる）に印加される電圧（ゲート線駆動信号）Ｇ１〜Ｇ３２０を出力するゲート線駆動回路２１９、液晶パネルのゲート線を１本ずつ順番に選択レベルに駆動するためのスキャンデータを生成するシフトレジスタなどからなるスキャンデータ発生回路２２０等が設けられている。
【００４４】
さらに、内部基準電圧を生成する内部基準電圧生成回路２２１、外部から供給される３．３Ｖや２．５Ｖのような電圧Ｖｃｃを降圧して１．５Ｖのような内部ロジック回路の電源電圧Ｖｄｄを生成する電圧レギュレータ２２２が設けられている。なお、図４において、ＳＥＬ１，ＳＥＬ２はデータセレクタで、それぞれタイミング制御回路２０３から出力される切替え信号によって制御され、複数の入力信号のいずれかを選択的に通過させる。
【００４５】
制御部２０１には、液晶コントローラドライバ２００の動作モードなどチップ全体の動作状態を制御するためのコントロールレジスタＣＴＲや、該コントロールレジスタＣＴＲや前記表示メモリ２０６の参照のためのインデックス情報を記憶するインデックスＩＸＲなどのレジスタが設けられている。外部のマイコン等がインデックスレジスタＩＸＲに書込みを行なうことで実行するインストラクションを指定すると、制御部２０１が指定されたインストラクションに対応した制御信号を生成し出力する。
【００４６】
このように構成された制御部２０１による制御によって、液晶コントローラドライバ２００は、マイコン等からの指令およびデータに基づいて図外の液晶パネルに表示を行なう際に、表示データを表示メモリ２０６に順次書き込んで行く描画処理を行なう。また、表示メモリ２０６から周期的に表示データを読み出す読出し処理を行なって液晶パネルのソース線に印加する信号を生成して出力するとともに、ゲート線に順次印加する信号を生成して出力する。
【００４７】
この実施例の液晶コントローラドライバ２００は、外部のマイコンや前述の認証システムからシステム・インタフェース２０４を介してインデックスレジスタＩＸＤに特定のインストラクションコードが設定されると、表示メモリ２０６に格納されている表示データによって液晶パネルへの表示を行なう。一方、インデックスレジスタＩＸＤに特定のインストラクションコードが設定されなかった場合には、ＥＰＲＯＭインタフェース２４０を介して該部のＥＰＲＯＭに格納されている図２（Ａ）のような特定の表示を行なうための表示データを読み込んで表示を行なうように構成されている。
【００４８】
なお、液晶コントローラドライバ（液晶コントローラを含む）においては、表示データを記憶する内蔵表示メモリの記憶容量は一般に、駆動する液晶パネルの表示画面の大きさに応じて決定されており、表示メモリのアドレスのビット数で規定される有効アドレス空間内に未使用のアドレス領域が存在する。
【００４９】
そこで、表示メモリの記憶容量を液晶パネルの表示画面のデータ分よりも大きく設定しておいて、電源投入時等にこの記憶領域に予め外部のＥＰＲＯＭから特定の表示を行なうための表示データを読み込んで記憶させておくように構成することができる。また、外部のＥＰＲＯＭを使用する代わりに、内蔵ＲＯＭを設けて、この内蔵ＲＯＭに特定の表示を行なうための表示データを格納して置くように構成してもよい。
【００５０】
以上本発明者によってなされた発明を実施例に基づき具体的に説明したが、本発明は上記実施例に限定されるものではなく、その要旨を逸脱しない範囲で種々変更可能であることはいうまでもない。例えば上記実施例では、認証がされなかった場合に、表示部に通常の表示をしないようにすることでセキュリティの向上を図るようにしたものを説明した。
【００５１】
本発明は、このような実施例に限定されず、認証がされなかった場合には、一般に携帯電話機の底部に設けられている有線式の通信ポートや電話機の上部に設けられている赤外線式の通信ポートを用いたデータの取り出しも許可されないように構成することも可能である。その場合、通信を行なうＩＣもしくはインタフェースに、認証システムから特定のインストラクションコードもしくはコマンドコードが発行されないと、通信を実行しないような機能を設けるようにすれば良い。
【００５２】
また、声紋による音声認証システムを用いる場合には、通話用のマイクロホンを認証システムの入力手段と兼用させることができる。実施例では折り畳み式の携帯電話機を示したが、それ限定されるものでないことはいうまでもない。
【産業上の利用可能性】
【００５３】
以上の説明では主として本発明者によってなされた発明をその背景となった利用分野である携帯電話機に適用したものを説明したが、本発明はそれ限定されるものでない。例えばＰＤＡやノート型パーソナルコンピュータなどにも利用することができる。
【図面の簡単な説明】
【００５４】
【図１】本発明を適用した表示制御用半導体集積回路（液晶コントローラドライバ）を備えた携帯電話器の閉じた状態の外観を示す正面図である。
【図２】本発明を適用した表示制御用半導体集積回路を備えた携帯電話器の開いた状態の外観を示すもので、（Ａ）は認証がなされた場合の表示例、（Ｂ）は認証がなされていない場合あるいは認証によって不一致が検出された場合の表示例をそれぞれ示す正面図である。
【図３】本発明に係る表示制御用半導体集積回路（液晶コントローラドライバ）を備えた携帯電話器の全体構成を示すブロック図である。
【図４】特定インストラクションの不発行時に液晶パネルに特定の表示を行なわせる機能を有する液晶コントローラドライバの一実施例を示すブロック図である。
【符号の説明】
【００５５】
１００  携帯電話機本体
１１０  認証用入力部（イメージセンサ）
１２０  サブ表示部
１３０  メイン表示部
１４０  入力操作部
２００  液晶コントローラドライバ
２０１  制御部
２０６  表示メモリ（ＲＡＭ）
２１５  ソース線駆動回路（出力回路）
２６０  認証処理回路（認証システム）
【図１】
2007264355.tif 000003
【図２】
2007264355.tif 000004
【図３】
2007264355.tif 000005
【図４】
2007264355.tif 000006